(57)【要約】  【課題】  実質的にシンプルな手段を用いて製造を容易にする。  【解決手段】  プリント基板１上に樹脂成形によるブリッジ部品２を搭載し、ブリッジ部品２の一方の脚部に設けたコネクタ３とプリント基板１とを複数のリード線４、５で接続する電気機器において、前記リード線４、５のプリント基板１側をブリッジ部品２の中心より反コネクタ３側においてプリント基板１に接続するようにして、ブリッジ部品２のコネクタ３側のプリント基板１からの浮き上がりを防止しやすくした電気機器である。好ましくは、リード線４、５のうち、コネクタ３より遠い側にてプリント基板１に接続するリード線４の緊張度合いより、コネクタ３に近い側にてプリント基板１に接続するリード線５の緊張度合いを大きくすると、コネクタ３を介してブリッジ部品２の脚部に作用する上向きの力が減少しやすくなり、ブリッジ部品２の重量によりブリッジ部品２の浮きを防止しやすい。【選択図】  図１
2006172786.tif 000002
【特許請求の範囲】
【請求項１】
プリント基板上にブリッジ部品を搭載し、ブリッジ部品の一方の脚部に設けたコネクタとプリント基板とを複数のリード線で接続する電気機器において、前記リード線のプリント基板側をブリッジ部品の中心より反コネクタ側においてプリント基板に接続するようにして、ブリッジ部品のコネクタ側のプリント基板からの浮き上がりを防止しやすくした電気機器。
【請求項２】
請求項１において、リード線のうち、コネクタより遠い側にてプリント基板に接続するリード線の緊張度合いより、コネクタに近い側にてプリント基板に接続するリード線の緊張度合いを大きくした電気機器。
【発明の詳細な説明】
【技術分野】
【０００１】
本発明は、照明器具の部品として使用する給電アダプタなどに好適な電気機器に関する。
【背景技術】
【０００２】
そのようなアダプタは特許文献１などで知られているが、コードペンダント照明器具用として使用され、側部にコネクタを必要としないタイプのものである。
【特許文献１】特開平１０−３２１０３８号公報
【発明の開示】
【発明が解決しようとする課題】
【０００３】
ところで、アダプタにインバータ回路などの点灯回路を内蔵すると高さがかさばるため、直付けタイプの照明器具に一層適応させるには、アダプタの側面から点灯回路の出力を取り出す必要がある。しかしながら、プリント基板とコネクタの接続リード線に関連して製造に支障のある潜在的原因があることが判明した。本発明は、実質的にシンプルな手段を用いて製造を容易にすることを目的とする。
【課題を解決するための手段】
【０００４】
本発明を要約すると、プリント基板上にブリッジ部品を搭載し、ブリッジ部品の一方の脚部に設けたコネクタとプリント基板とを複数のリード線で接続する電気機器において、前記リード線のプリント基板側をブリッジ部品の中心より反コネクタ側においてプリント基板に接続して、ブリッジ部品のコネクタ側のプリント基板からの浮き上がりを防止しやすくした電気機器である。
【発明の効果】
【０００５】
通常の考え方では、ブリッジ部品の一方の脚部に設けたコネクタとプリント基板とをできるだけ短い複数のリード線で接続するが、あえて、リード線のプリント基板側をブリッジ部品の中心より反コネクタ側においてプリント基板に接続するようにして、すなわち、リード線をあえて長くすることでリード線の突っ張り度合いを減少させて、ブリッジ部品のコネクタ側のプリント基板からの浮き上がりを防止しやすいようにして、製造時の取り扱いを容易にできた。
【発明を実施するための最良の形態】
【０００６】
次に、本発明の実施形態を説明するが、それはあくまで本発明に基づいて採択された例示的な実施形態であり、本発明をその実施形態に特有な事項に基づいて限定解釈してはならず、本発明の技術的範囲は、特許請求の範囲の請求項に示した事項さらにはその事項と実質的に等価である事項に基づいて定めなければならない。
【０００７】
図１、２の実施形態は、プリント基板１上に樹脂成形によるブリッジ部品２を搭載し、ブリッジ部品２の一方の脚部に設けたコネクタ３とプリント基板１とを複数のリード線４、５で接続する電気機器において、前記リード線４、５のプリント基板１側をブリッジ部品２の中心より反コネクタ３側においてプリント基板１に接続するようにして、ブリッジ部品２のコネクタ３側のプリント基板１からの浮き上がりを防止しやすくした電気機器である。好ましくは、リード線４、５のうち、コネクタ３より遠い側にてプリント基板１に接続するリード線４の緊張度合いより、コネクタ３に近い側にてプリント基板１に接続するリード線５の緊張度合いを大きくすると、コネクタ３を介してブリッジ部品２の脚部に作用する上向きの力が減少しやすくなり、ブリッジ部品２の重量によりブリッジ部品２の浮きを防止しやすい。
【０００８】
さらに詳述すれば、ブリッジ部品２は上面に一対の金属製の引掛刃６、６が突出され、一方の脚部にコネクタ３を内側と外側を貫通する状態で係止固定している。プリント基板１にはインバータ回路などの点灯回路を構成する部品を搭載しているが、図面が複雑になるのであえて図示していない。また、これらの構成部品は図示しない外装ケースに収められ、引掛刃６、６とコネクタ３の外側面は露出される。なお、引掛刃６、６からは導電板７、７を介してプリント基板１に給電接続される。
【０００９】
プリント基板１に実装した所定の部品を半田付けする際は図２のように、支持板８に図１のものを載せて図外の半田層にディップするものであるが、その際、リード線４、５の上向きの力はブリッジ部品２の重量で押さえこまれやすいため、半田付けが確実になる。図３は本発明に対する比較例を示し、リード線４、５が短いためにリード線４、５が撓みにくく、ブリッジ部品２のコネクタ３側のプリント基板１からの浮き上がりがあり、脚部底面の凸部９とプリント基板１の孔１０との位置決めができないし、後工程で、ブリッジ部品２を押さえつけて図示しないビスなどでブリッジ部品２の脚部をプリント基板１に固定する際に、導電片７の根元半田部に無理な力がかかりやすい。なお、ブリッジ部品２の他の脚部の下面にも凸部(図示せず)を設けてプリント基板１の孔(図示せず)と位置決めができるようにしている。
【００１０】
通常の考え方では、ブリッジ部品２の一方の脚部に設けたコネクタ３とプリント基板１とをできるだけ短い複数のリード線で接続するが、あえて、リード線４、５のプリント基板１側をブリッジ部品２の中心より反コネクタ３側においてプリント基板１に接続するようにして、すなわち、リード線４、５をあえて長くすることでリード線４、５の突っ張り度合いを減少させて、ブリッジ部品２のコネクタ３側のプリント基板１からの浮き上がりを防止しやすいようにして、製造時の取り扱いを容易にできた。殊に、プリント基板１上にブリッジ部品２を搭載した状態で半田層に流すときに、ブリッジ部品２の上面に重りなどを置く必要もなくなり、製造工程がスムーズになる。
【図面の簡単な説明】
【００１１】
【図１】本発明の実施形態を示す斜視図
【図２】同半田付け工程の斜視図
【図３】比較例による斜視図
【符号の説明】
【００１２】
１  プリント基板
２  ブリッジ部品
３  コネクタ
４、５  リード線
【図１】
2006172786.tif 000003
【図２】
2006172786.tif 000004
【図３】
2006172786.tif 000005